(57)【特許請求の範囲】
【請求項１】
タッチパネルを備える電子機器によって実行される認証プログラムであって、
認証を実行する認証手段、および、
認証用の時間情報を取得する時間情報取得手段として前記電子機器を機能させ、
前記認証手段は、前記時間情報取得手段によって取得された前記時間情報に基づいて認証を実行し、
前記時間情報取得手段は、前記タッチパネルに対する接触時間に応じて前記時間情報を変化させる場合に、前記タッチパネルに対する接触方法に応じて前記時間情報の変化量を変更することを特徴とする認証プログラム。
【請求項２】
前記時間情報取得手段は、前記接触方法に応じて前記時間情報の変化量を前記接触時間の変化量より増加可能であることを特徴とする請求項１に記載の認証プログラム。
【請求項３】
前記時間情報取得手段は、前記接触方法に応じて前記時間情報を減らすことが可能であることを特徴とする請求項１または請求項２に記載の認証プログラム。
【請求項４】
前記時間情報を前記タッチパネルに表示させる時間情報表示手段として前記電子機器を機能させることを特徴とする請求項１から請求項３までの何れかに記載の認証プログラム。
【請求項５】
前記時間情報表示手段は、前記時間情報を前記タッチパネルに表示させるか否かを切り替え可能であることを特徴とする請求項４に記載の認証プログラム。
【請求項６】
前記時間情報表示手段は、前記時間情報を前記タッチパネルに表示させるか否かを前記接触方法に応じて切り替え可能であることを特徴とする請求項５に記載の認証プログラム。
【請求項７】
前記時間情報取得手段は、前記接触時間および前記接触方法に応じて前記時間情報を変化させる通常モードと、前記接触時間および前記接触方法のうち前記接触方法のみに応じて前記時間情報を変化させる時間情報編集モードとを切り替え可能であることを特徴とする請求項１から請求項６までの何れかに記載の認証プログラム。
【請求項８】
前記時間情報取得手段は、前記通常モードと、前記時間情報編集モードとを前記接触方法に応じて切り替え可能であることを特徴とする請求項７に記載の認証プログラム。
【請求項９】
前記時間情報取得手段は、前記接触方法として前記タッチパネルに対する接触点の数および前記タッチパネルに対する接触面積の少なくとも一方の増加に応じて前記時間情報の変化量を増加させることを特徴とする請求項２に記載の認証プログラム。
【請求項１０】
タッチパネルと、
認証を実行する認証手段と、
認証用の時間情報を取得する時間情報取得手段とを備え、
前記認証手段は、前記時間情報取得手段によって取得された前記時間情報に基づいて認証を実行し、
前記時間情報取得手段は、前記タッチパネルに対する接触時間に応じて前記時間情報を変化させる場合に、前記タッチパネルに対する接触方法に応じて前記時間情報の変化量を変更することを特徴とする認証装置。
【発明の詳細な説明】
【技術分野】
【０００１】
本発明は、タッチパネルに対する接触時間に基づいて認証を実行する認証プログラムおよび認証装置に関する。
【背景技術】
【０００２】
従来、タッチパネルに対する接触時間に基づいて認証を実行する方法として、タッチパネルに対する接触時間が特定の時間である場合に認証を成功させるものが知られている（特許文献１参照。）。
【先行技術文献】
【特許文献】
【０００３】
【特許文献１】特開２０１２−８４００５号公報
【発明の概要】
【発明が解決しようとする課題】
【０００４】
しかしながら、従来の方法においては、利用者が認証のためにタッチパネルに接触する場合にタッチパネルに対する接触時間が常に一定であるので、利用者が認証のためにタッチパネルに接触している様子を見た他人によってタッチパネルに対する接触時間が計測されてしまった場合に、その他人が利用者になりすまして不正に認証されてしまう可能性があるという問題がある。
【０００５】
そこで、本発明は、セキュリティーを向上することができる認証プログラムおよび認証装置を提供することを目的とする。
【課題を解決するための手段】
【０００６】
本発明の認証プログラムは、タッチパネルを備える電子機器によって実行される認証プログラムであって、認証を実行する認証手段、および、認証用の時間情報を取得する時間情報取得手段として前記電子機器を機能させ、前記認証手段は、前記時間情報取得手段によって取得された前記時間情報に基づいて認証を実行し、前記時間情報取得手段は、前記タッチパネルに対する接触時間に応じて前記時間情報を変化させる場合に、前記タッチパネルに対する接触方法に応じて前記時間情報の変化量を変更することを特徴とする。
【０００７】
この構成により、本発明の認証プログラムは、利用者が認証のためにタッチパネルに接触する場合のタッチパネルに対する接触時間を変更可能であるので、利用者が認証のためにタッチパネルに接触している様子を見た他人によってタッチパネルに対する接触時間が計測されたとしても、その他人が利用者になりすまして不正に認証されてしまう可能性を低減することができる。すなわち、本発明の認証プログラムは、セキュリティーを向上することができる。
【０００８】
また、本発明の認証プログラムにおいて、前記時間情報取得手段は、前記接触方法に応じて前記時間情報の変化量を前記接触時間の変化量より増加可能であっても良い。
【０００９】
この構成により、本発明の認証プログラムは、時間情報の変化量を接触時間の変化量より増加可能であるので、時間情報の変化量を接触時間の変化量より増加させることによって通常より速く認証を終了することができる。
【００１０】
また、本発明の認証プログラムにおいて、前記時間情報取得手段は、前記接触方法に応じて前記時間情報を減らすことが可能であっても良い。
【００１１】
この構成により、本発明の認証プログラムは、時間情報を減らすことが可能であるので、時間情報を減らすことによって、増やし過ぎた時間情報を修正することができる。したがって、本発明の認証プログラムは、利便性を向上することができる。
【００１２】
また、本発明の認証プログラムは、前記時間情報を前記タッチパネルに表示させる時間情報表示手段として前記電子機器を機能させても良い。
【００１３】
この構成により、本発明の認証プログラムは、時間情報をタッチパネルに表示させるので、タッチパネルに対する接触時間の変化量に対する時間情報の変化量を変更した場合であっても、利用者による時間情報の入力を容易化することができる。
【００１４】
また、本発明の認証プログラムにおいて、前記時間情報表示手段は、前記時間情報を前記タッチパネルに表示させるか否かを切り替え可能であっても良い。
【００１５】
この構成により、本発明の認証プログラムは、タッチパネルに表示させた時間情報が他人に見られる可能性がある場合に、時間情報をタッチパネルに表示させないことができるので、セキュリティーを向上することができる。
【００１６】
また、本発明の認証プログラムにおいて、前記時間情報表示手段は、前記時間情報を前記タッチパネルに表示させるか否かを前記接触方法に応じて切り替え可能であっても良い。
【００１７】
この構成により、本発明の認証プログラムは、時間情報をタッチパネルに表示させるか否かをタッチパネルに対する接触方法に応じて切り替え可能であるので、時間情報の入力と、時間情報をタッチパネルに表示させるか否かの切り替えの操作とを同一のタッチパネルに対して実行させることができ、利便性を向上することができる。
【００１８】
また、本発明の認証プログラムにおいて、前記時間情報取得手段は、前記接触時間および前記接触方法に応じて前記時間情報を変化させる通常モードと、前記接触時間および前記接触方法のうち前記接触方法のみに応じて前記時間情報を変化させる時間情報編集モードとを切り替え可能であっても良い。
【００１９】
この構成により、本発明の認証プログラムは、時間情報編集モードによってタッチパネルに対する接触時間に関わらず時間情報を変化させることができるので、利用者による時間情報の入力を容易化することができる。
【００２０】
また、本発明の認証プログラムにおいて、前記時間情報取得手段は、前記通常モードと、前記時間情報編集モードとを前記接触方法に応じて切り替え可能であっても良い。
【００２１】
この構成により、本発明の認証プログラムは、通常モードと、時間情報編集モードとをタッチパネルに対する接触方法に応じて切り替え可能であるので、時間情報の入力と、通常モードおよび時間情報編集モードの切り替えの操作とを同一のタッチパネルに対して実行させることができ、利便性を向上することができる。
【００２２】
また、本発明の認証プログラムにおいて、前記時間情報取得手段は、前記接触方法として前記タッチパネルに対する接触点の数および前記タッチパネルに対する接触面積の少なくとも一方の増加に応じて前記時間情報の変化量を増加させても良い。
【００２３】
この構成により、本発明の認証プログラムは、タッチパネルに対する接触点の数およびタッチパネルに対する接触面積の少なくとも一方の増加に応じて時間情報の変化量を増加させるので、時間情報の変化量を変更させるための操作を直感的な操作にすることができ、利便性を向上することができる。
【００２４】
本発明の認証装置は、タッチパネルと、認証を実行する認証手段と、認証用の時間情報を取得する時間情報取得手段とを備え、前記認証手段は、前記時間情報取得手段によって取得された前記時間情報に基づいて認証を実行し、前記時間情報取得手段は、前記タッチパネルに対する接触時間に応じて前記時間情報を変化させる場合に、前記タッチパネルに対する接触方法に応じて前記時間情報の変化量を変更することを特徴とする。
【００２５】
この構成により、本発明の認証装置は、利用者が認証のためにタッチパネルに接触する場合のタッチパネルに対する接触時間を変更可能であるので、利用者が認証のためにタッチパネルに接触している様子を見た他人によってタッチパネルに対する接触時間が計測されたとしても、その他人が利用者になりすまして不正に認証されてしまう可能性を低減することができる。すなわち、本発明の認証装置は、セキュリティーを向上することができる。
【発明の効果】
【００２６】
本発明の認証プログラムおよび認証装置は、セキュリティーを向上することができる。
【図面の簡単な説明】
【００２７】
【図１】本発明の一実施の形態に係る携帯機器のブロック図である。
【図２】図１に示す携帯機器の起動時の動作のフローチャートである。
【図３】図２に示す動作の続きの動作のフローチャートである。
【図４】図１に示すタッチパネルに表示される認証用画面を示す図である。
【図５】（ａ）は、タッチパネルに対する接触点の数が１である場合の図４に示す認証用画面の一例を示す図である。（ｂ）は、タッチパネルに対する接触点の数が２である場合の図４に示す認証用画面の一例を示す図である。
【図６】（ａ）は、時間情報表示操作が入力される直前の図４に示す認証用画面の一例を示す図である。（ｂ）は、時間情報表示操作が入力された直後の図４に示す認証用画面の一例を示す図である。
【図７】（ａ）は、時間情報編集モード移行操作が入力される直前の図４に示す認証用画面の一例を示す図である。図７（ｂ）は、時間情報編集モード移行操作が入力されている途中の図４に示す認証用画面の一例を示す図である。
【図８】図３に示す時間情報編集モード処理のフローチャートである。
【図９】（ａ）は、時間情報増加操作が入力される直前の図４に示す認証用画面の一例を示す図である。（ｂ）は、時間情報増加操作が入力された直後の図４に示す認証用画面の一例を示す図である。
【発明を実施するための形態】
【００２８】
以下、本発明の一実施の形態について、図面を用いて説明する。
【００２９】
まず、本実施の形態に係る認証装置としての携帯機器の構成について説明する。
【００３０】
図１は、本実施の形態に係る携帯機器１０のブロック図である。
【００３１】
図１に示すように、携帯機器１０は、種々の操作が入力されるボタンなどの入力デバイスである操作部１１と、種々の情報を表示するとともに種々の操作が入力されるタッチパネル１２と、プログラムおよび各種のデータを記憶しているフラッシュメモリーなどの不揮発性の記憶装置である記憶部１３と、携帯機器１０全体を制御する制御部１４とを備えている。
【００３２】
携帯機器１０は、例えば携帯音楽プレーヤー、スマートフォンなどの電子機器である。
【００３３】
記憶部１３は、制御部１４によって実行される認証プログラム１３ａを記憶している。認証プログラム１３ａは、携帯機器１０の製造段階で携帯機器１０にインストールされていても良いし、例えば記憶媒体経由またはネットワーク経由で携帯機器１０に追加でインストールされても良い。
【００３４】
記憶部１３は、認証のために登録されている認証用登録情報１３ｂを記憶している。認証用登録情報１３ｂは、例えば５秒などの時間情報である。
【００３５】
なお、携帯機器１０は、認証用登録情報１３ｂを記憶していない状態では、いつでも利用者の指示に応じて認証用登録情報１３ｂを登録することが可能である。また、携帯機器１０は、認証用登録情報１３ｂを記憶している状態では、携帯機器１０による利用者の認証が成功して利用者が携帯機器１０を使用可能になっている場合に、利用者の指示に応じて認証用登録情報１３ｂを変更または削除することが可能である。
【００３６】
利用者は、携帯機器１０による後述の認証を成功させるために、認証用登録情報１３ｂの値を把握しておく必要がある。
【００３７】
制御部１４は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部１３に記憶されているプログラムを実行する。
【００３８】
制御部１４は、記憶部１３に記憶されている認証プログラム１３ａを実行することによって、認証を実行する認証手段１４ａ、認証用の時間情報（以下「認証用時間情報」と言う。）を取得する時間情報取得手段１４ｂ、および、認証用時間情報をタッチパネル１２に表示させる時間情報表示手段１４ｃとして機能する。
【００３９】
なお、時間情報取得手段１４ｂは、タッチパネル１２に対する接触時間および接触方法に応じて認証用時間情報を変化させる通常モードと、タッチパネル１２に対する接触時間および接触方法のうち接触方法のみに応じて認証用時間情報を変化させる時間情報編集モードとを切り替え可能である。
【００４０】
次に、携帯機器１０の動作について説明する。
【００４１】
図２は、携帯機器１０の起動時の動作のフローチャートである。図３は、図２に示す動作の続きの動作のフローチャートである。
【００４２】
図２および図３に示すように、携帯機器１０の制御部１４の認証手段１４ａは、認証用登録情報１３ｂを記憶部１３に記憶しているか否かを判断する（Ｓ１０１）。
【００４３】
認証手段１４ａは、認証用登録情報１３ｂを記憶部１３に記憶していないとＳ１０１において判断すると、図２および図３に示す動作を終了する。したがって、利用者は、携帯機器１０に各種の動作を実行させることが可能になる。
【００４４】
一方、認証手段１４ａは、認証用登録情報１３ｂを記憶部１３に記憶しているとＳ１０１において判断すると、図４に示す認証用画面３０をタッチパネル１２に表示させる（Ｓ１０２）。
【００４５】
図４は、タッチパネル１２に表示される認証用画面３０を示す図である。
【００４６】
図４に示す認証用画面３０には、「画面に触れて認証してください。」というメッセージ３１が表示されている。
【００４７】
図２および図３に示すように、時間情報取得手段１４ｂは、Ｓ１０２の処理の後、タッチパネル１２に対する接触を検出するまで、タッチパネル１２に対する接触を検出したか否かを判断する（Ｓ１０３）。
【００４８】
時間情報取得手段１４ｂは、タッチパネル１２に対する接触を検出したとＳ１０３において判断すると、認証用時間情報を初期化する（Ｓ１０４）。
【００４９】
次いで、時間情報取得手段１４ｂは、タッチパネル１２に対する接触点の数に応じて認証用時間情報の変化量を設定する（Ｓ１０５）。
【００５０】
図５（ａ）は、タッチパネル１２に対する接触点３２の数が１である場合の認証用画面３０の一例を示す図である。図５（ｂ）は、タッチパネル１２に対する接触点３２の数が２である場合の認証用画面３０の一例を示す図である。
【００５１】
なお、図５には、理解の容易のために、接触点３２と、利用者の手４０とが示されている。すなわち、接触点３２および手４０は、タッチパネル１２上に表示される画像ではない。
【００５２】
時間情報取得手段１４ｂは、図５（ａ）に示すように利用者の手４０の１本の指がタッチパネル１２に接触することによってタッチパネル１２に対する接触点３２の数が１である場合、タッチパネル１２に対する接触時間に応じて認証用時間情報を変化させるときの認証用時間情報の変化量を、Ｓ１０５において接触時間の変化量と同一に設定する。すなわち、時間情報取得手段１４ｂは、通常モードにおいて認証用時間情報を取得する場合に、例えば、接触時間の変化量が１秒であれば、認証用時間情報の変化量も１秒として取得する。
【００５３】
時間情報取得手段１４ｂは、図５（ｂ）に示すように利用者の手４０の２本の指がタッチパネル１２に接触することによってタッチパネル１２に対する接触点３２の数が２である場合、タッチパネル１２に対する接触時間に応じて認証用時間情報を変化させるときの認証用時間情報の変化量を、Ｓ１０５において接触時間の変化量の２倍に設定する。すなわち、時間情報取得手段１４ｂは、通常モードにおいて認証用時間情報を取得する場合に、例えば、接触時間の変化量が１秒であれば、認証用時間情報の変化量を２秒として取得する。
【００５４】
同様に、時間情報取得手段１４ｂは、タッチパネル１２に対する接触点３２の数が３、４または５である場合、タッチパネル１２に対する接触時間に応じて認証用時間情報を変化させるときの認証用時間情報の変化量を、それぞれ、Ｓ１０５において接触時間の変化量の３倍、４倍、５倍に設定する。
【００５５】
なお、時間情報取得手段１４ｂは、本実施の形態において、認証用時間情報の変化量を、接触時間の変化量の１倍〜５倍の５段階に設定可能である。しかしながら、時間情報取得手段１４ｂが認証用時間情報の変化量を何倍に設定可能であるかや、何段階に設定可能であるかは、設定次第である。
【００５６】
時間情報取得手段１４ｂは、Ｓ１０５の処理の後、通常モードによる認証用時間情報の取得を開始する（Ｓ１０６）。
【００５７】
次いで、時間情報取得手段１４ｂは、タッチパネル１２に対する接触の解除を検出したか否かを判断する（Ｓ１０７）。
【００５８】
時間情報取得手段１４ｂは、タッチパネル１２に対する接触の解除を検出したとＳ１０７において判断すると、通常モードによる認証用時間情報の取得を終了する（Ｓ１０８）。
【００５９】
次いで、認証手段１４ａは、時間情報取得手段１４ｂによって取得された認証用時間情報に基づいて認証を実行する（Ｓ１０９）。具体的には、認証手段１４ａは、時間情報取得手段１４ｂによって取得された認証用時間情報が、認証用登録情報１３ｂと同一である場合に、認証が成功したと判断する。なお、認証手段１４ａは、時間情報取得手段１４ｂによって取得された認証用時間情報が、認証用登録情報１３ｂと同一でなくても、認証用登録情報１３ｂと特定の程度に近ければ、認証が成功したと判断するように設定されても良い。
【００６０】
認証手段１４ａは、Ｓ１０９における認証が成功したか否かを判断する（Ｓ１１０）。
【００６１】
認証手段１４ａは、認証が成功したとＳ１１０において判断すると、タッチパネル１２による認証用画面３０の表示を終了して（Ｓ１１１）、図２および図３に示す動作を終了する。したがって、利用者は、携帯機器１０に各種の動作を実行させることが可能になる。
【００６２】
時間情報取得手段１４ｂは、認証が成功しなかったとＳ１１０において判断されると、Ｓ１０３の処理を実行する。
【００６３】
時間情報取得手段１４ｂは、タッチパネル１２に対する接触の解除を検出しなかったとＳ１０７において判断すると、タッチパネル１２に対する接触点３２の数が変更されたか否かを判断する（Ｓ１３１）。
【００６４】
時間情報取得手段１４ｂは、タッチパネル１２に対する接触点３２の数が変更されたとＳ１３１において判断すると、Ｓ１０５の処理と同様に、タッチパネル１２に対する接触点３２の数に応じて認証用時間情報の変化量を設定する（Ｓ１３２）。したがって、利用者は、通常モードによる認証用時間情報の取得中に、認証用時間情報の変化量を変更することができる。
【００６５】
時間情報表示手段１４ｃは、タッチパネル１２に対する接触点３２の数が変更されなかったとＳ１３１において判断されるか、Ｓ１３２の処理が終了すると、認証用時間情報の表示を開始させるための時間情報表示操作が入力されたか否かを判断する（Ｓ１３３）。
【００６６】
図６（ａ）は、時間情報表示操作が入力される直前の認証用画面３０の一例を示す図である。図６（ｂ）は、時間情報表示操作が入力された直後の認証用画面３０の一例を示す図である。
【００６７】
なお、図６には、理解の容易のために、接触点３２と、利用者の手４０とが示されている。すなわち、接触点３２および手４０は、タッチパネル１２上に表示される画像ではない。また、図６（ｂ）には、認証用時間情報を表示するための領域３３が示されている。領域３３は、タッチパネル１２上に表示される画像である。
【００６８】
時間情報表示操作は、図６（ａ）に示すように、利用者の手４０の５本の指がタッチパネル１２に接触することによってタッチパネル１２に対する接触点３２の数が５である場合に、図６（ｂ）に示すように、利用者の手４０が右回りに回されることによってタッチパネル１２に対する５つの接触点３２が右回りにスライドさせられる操作である。
【００６９】
時間情報表示手段１４ｃは、時間情報表示操作が入力されたとＳ１３３において判断すると、図６（ｂ）に示すようにタッチパネル１２上の領域３３への認証用時間情報の表示を開始する（Ｓ１３４）。なお、時間情報表示手段１４ｃは、Ｓ１３４の処理を実行する時点で、既に認証用時間情報をタッチパネル１２に表示させている場合には、Ｓ１３４の処理を省略する。利用者は、認証用時間情報の表示が開始されることによって、現在の認証用時間情報を確認することができる。
【００７０】
時間情報表示手段１４ｃは、時間情報表示操作が入力されなかったとＳ１３３において判断するか、Ｓ１３４の処理を終了すると、認証用時間情報の表示を終了させるための時間情報表示終了操作が入力されたか否かを判断する（Ｓ１３５）。
【００７１】
時間情報表示終了操作は、時間情報表示操作とは逆に、タッチパネル１２に対する５つの接触点３２が左回りにスライドさせられる操作である。
【００７２】
時間情報表示手段１４ｃは、時間情報表示終了操作が入力されたとＳ１３５において判断すると、タッチパネル１２による認証用時間情報の表示を終了する（Ｓ１３６）。なお、時間情報表示手段１４ｃは、Ｓ１３６の処理を実行する時点で、既に認証用時間情報をタッチパネル１２に表示させていない場合には、Ｓ１３６の処理を省略する。
【００７３】
時間情報取得手段１４ｂは、時間情報表示終了操作が入力されなかったとＳ１３５において判断されるか、Ｓ１３６の処理が終了すると、時間情報編集モードに移行するための時間情報編集モード移行操作が入力されたか否かを判断する（Ｓ１３７）。
【００７４】
図７（ａ）は、時間情報編集モード移行操作が入力される直前の認証用画面３０の一例を示す図である。図７（ｂ）は、時間情報編集モード移行操作が入力されている途中の認証用画面３０の一例を示す図である。
【００７５】
なお、図７には、理解の容易のために、接触点３２と、利用者の手４０とが示されている。すなわち、接触点３２および手４０は、タッチパネル１２上に表示される画像ではない。
【００７６】
時間情報編集モード移行操作は、図７（ａ）に示すように、利用者の手４０の１本の指がタッチパネル１２に接触することによってタッチパネル１２に対する接触点３２の数が１である場合に、図７（ｂ）に示すように、利用者の手４０が上に移動されることによってタッチパネル１２に対する１つの接触点３２が上にスライドさせられた後、再び図７（ａ）に示すように、利用者の手４０が下に移動されることによってタッチパネル１２に対する１つの接触点３２が下にスライドさせられる操作である。
【００７７】
時間情報取得手段１４ｂは、時間情報編集モード移行操作が入力されなかったとＳ１３７において判断すると、Ｓ１０７の処理を実行する。
【００７８】
時間情報取得手段１４ｂは、時間情報編集モード移行操作が入力されたとＳ１３７において判断すると、通常モードによる認証用時間情報の取得を終了する（Ｓ１３８）。したがって、タッチパネル１２に対する接触時間に応じた認証用時間情報の変化は停止する。
【００７９】
時間情報取得手段１４ｂは、Ｓ１３８の処理の後、図８に示す時間情報編集モード処理を実行する（Ｓ１３９）。
【００８０】
図８は、図３に示す時間情報編集モード処理のフローチャートである。
【００８１】
図８に示すように、時間情報取得手段１４ｂは、認証用時間情報を増加させるための時間情報増加操作が入力されたか否かを判断する（Ｓ１６１）。
【００８２】
図９（ａ）は、時間情報増加操作が入力される直前の認証用画面３０の一例を示す図である。図９（ｂ）は、時間情報増加操作が入力された直後の認証用画面３０の一例を示す図である。
【００８３】
なお、図９には、理解の容易のために、接触点３２と、利用者の手４０とが示されている。すなわち、接触点３２および手４０は、タッチパネル１２上に表示される画像ではない。
【００８４】
時間情報増加操作は、図９（ａ）に示すように、利用者の手４０の１本の指がタッチパネル１２に接触することによってタッチパネル１２に対する接触点３２の数が１である場合に、図９（ｂ）に示すように、利用者の手４０が右に移動されることによってタッチパネル１２に対する１つの接触点３２が右にスライドさせられる操作である。
【００８５】
時間情報取得手段１４ｂは、時間情報増加操作が入力されたとＳ１６１において判断すると、特定の値だけ認証用時間情報を増やす（Ｓ１６２）。ここで、特定の値は、時間情報増加操作における接触点３２のスライド量に関わらず１秒などの一定の値であっても良いし、時間情報増加操作における接触点３２のスライド量に応じた値であっても良い。
【００８６】
時間情報取得手段１４ｂは、時間情報増加操作が入力されなかったとＳ１６１において判断するか、Ｓ１６２の処理を終了すると、認証用時間情報を減少させるための時間情報減少操作が入力されたか否かを判断する（Ｓ１６３）。
【００８７】
時間情報減少操作は、時間情報増加操作とは逆に、タッチパネル１２に対する１つの接触点３２が左にスライドさせられる操作である。
【００８８】
時間情報取得手段１４ｂは、時間情報減少操作が入力されたとＳ１６３において判断すると、特定の値だけ認証用時間情報を減らす（Ｓ１６４）。ここで、特定の値は、時間情報減少操作における接触点３２のスライド量に関わらず１秒などの一定の値であっても良いし、時間情報減少操作における接触点３２のスライド量に応じた値であっても良い。
【００８９】
時間情報表示手段１４ｃは、時間情報減少操作が入力されなかったとＳ１６３において判断されるか、Ｓ１６４の処理が終了すると、Ｓ１３３〜Ｓ１３６の処理と同様に、Ｓ１６５〜Ｓ１６８の処理を実行する。
【００９０】
時間情報取得手段１４ｂは、時間情報表示終了操作が入力されなかったとＳ１６７において判断されるか、Ｓ１６８の処理が終了すると、通常モードに移行するための通常モード移行操作が入力されたか否かを判断する（Ｓ１６９）。
【００９１】
通常モード移行操作は、時間情報編集モード移行操作と同様に、タッチパネル１２に対する１つの接触点３２が上にスライドさせられた後、再び下にスライドさせられる操作である。
【００９２】
時間情報取得手段１４ｂは、通常モード移行操作が入力されなかったとＳ１６９において判断すると、Ｓ１６１の処理を実行する。
【００９３】
時間情報取得手段１４ｂは、通常モード移行操作が入力されたとＳ１６９において判断すると、図８に示す時間情報編集モード処理を終了する。
【００９４】
図２および図３に示すように、時間情報取得手段１４ｂは、Ｓ１３９の時間情報編集モード処理を終了すると、タッチパネル１２に対する接触を検出したか否かを判断する（Ｓ１４０）。
【００９５】
時間情報取得手段１４ｂは、タッチパネル１２に対する接触を検出したとＳ１４０において判断すると、Ｓ１０５の処理を実行する。
【００９６】
認証手段１４ａは、タッチパネル１２に対する接触を検出しなかったとＳ１４０において判断されると、Ｓ１０９の処理を実行する。
【００９７】
以上に説明したように、携帯機器１０は、タッチパネル１２に対する接触時間に応じて認証用時間情報を変化させる場合（Ｓ１０６）に、タッチパネル１２に対する接触方法に応じて認証用時間情報の変化量を変更する（Ｓ１０５およびＳ１３２）。この構成により、携帯機器１０は、利用者が認証のためにタッチパネル１２に接触する場合のタッチパネル１２に対する接触時間を変更可能であるので、利用者が認証のためにタッチパネル１２に接触している様子を見た他人によってタッチパネル１２に対する接触時間が計測されたとしても、その他人が利用者になりすまして不正に認証されてしまう可能性を低減することができる。すなわち、携帯機器１０は、セキュリティーを向上することができる。
【００９８】
携帯機器１０は、Ｓ１０５またはＳ１３２においてタッチパネル１２に対する接触点３２の数を２以上にするという接触方法に応じて、認証用時間情報の変化量を、タッチパネル１２に対する接触時間の変化量より増加可能である。したがって、携帯機器１０は、認証用時間情報の変化量を、タッチパネル１２に対する接触時間の変化量より増加させることによって通常より速く認証を終了することができる。
【００９９】
携帯機器１０は、タッチパネル１２に対する接触点３２の数の増加に応じて認証用時間情報の変化量を増加させるので、認証用時間情報の変化量を変更させるための操作を直感的な操作にすることができ、利便性を向上することができる。
【０１００】
なお、携帯機器１０は、本実施の形態において、タッチパネル１２に対する接触点３２の数の増加に応じて認証用時間情報の変化量を増加させるが、タッチパネル１２に対する接触面積の増加に応じて認証用時間情報の変化量を増加させても良い。
【０１０１】
携帯機器１０は、タッチパネル１２に対する１つの接触点３２が左にスライドさせられるという接触方法に応じて、認証用時間情報を減らすことが可能である（Ｓ１６４）ので、認証用時間情報を減らすことによって、増やし過ぎた認証用時間情報を修正することができる。したがって、携帯機器１０は、利便性を向上することができる。
【０１０２】
なお、携帯機器１０は、通常モードにおいても、接触方法に応じて認証用時間情報を減らすことが可能であっても良い。携帯機器１０は、通常モードにおいても、タッチパネル１２に対する接触時間の変化量に対する認証用時間情報の変化量を負の値にすることによって、認証用時間情報を減らすことが可能である。
【０１０３】
携帯機器１０は、認証用時間情報をタッチパネル１２に表示させる（Ｓ１３４およびＳ１６６）ので、タッチパネル１２に対する接触時間の変化量に対する認証用時間情報の変化量を変更した場合であっても、利用者による認証用時間情報の入力を容易化することができる。
【０１０４】
なお、利用者は、通常モードにおいて、認証用時間情報がタッチパネル１２に表示されていなくても、自己の感覚によって時間を推測したり、携帯機器１０とは別の時計を使用して時間を計測したりすることによって、希望する認証用時間情報をタッチパネル１２を介して入力することが可能である。しかしながら、携帯機器１０は、認証用時間情報をタッチパネル１２に表示させる（Ｓ１３４およびＳ１６６）ことによって、利用者による認証用時間情報の入力を容易化することができる。
【０１０５】
携帯機器１０は、認証用時間情報をタッチパネル１２に表示させる（Ｓ１３４およびＳ１６６）ので、時間情報編集モードにおいて認証用時間情報を編集する場合に、利用者による認証用時間情報の入力を容易化することができる。
【０１０６】
なお、携帯機器１０は、本実施の形態において、認証用時間情報をタッチパネル１２に表示させていない状態であっても、時間情報編集モードに移行することができる。しかしながら、携帯機器１０は、認証用時間情報をタッチパネル１２に表示させている状態である場合にのみ、時間情報編集モードに移行可能であっても良い。携帯機器１０は、認証用時間情報をタッチパネル１２に表示させている状態である場合にのみ、時間情報編集モードに移行可能であるとき、時間情報編集モード処理においてＳ１６５〜Ｓ１６８の処理が不要である。
【０１０７】
携帯機器１０は、認証用時間情報をタッチパネル１２に表示させるか否かを切り替え可能である（Ｓ１３３〜Ｓ１３６またはＳ１６５〜Ｓ１６８）。この構成により、携帯機器１０は、タッチパネル１２に表示させた認証用時間情報が他人に見られる可能性がある場合に、認証用時間情報をタッチパネル１２に表示させないことができるので、セキュリティーを向上することができる。
【０１０８】
携帯機器１０は、認証用時間情報をタッチパネル１２に表示させるか否かを、時間情報表示操作および時間情報表示終了操作というタッチパネル１２に対する接触方法に応じて切り替え可能であるので、認証用時間情報の入力と、認証用時間情報をタッチパネル１２に表示させるか否かの切り替えの操作とを同一のタッチパネル１２に対して実行させることができ、利便性を向上することができる。
【０１０９】
携帯機器１０は、通常モードと、時間情報編集モードとを切り替え可能である（Ｓ１３７およびＳ１６９）。この構成により、携帯機器１０は、時間情報編集モードによってタッチパネル１２に対する接触時間に関わらず認証用時間情報を変化させることができるので、利用者による認証用時間情報の入力を容易化することができる。
【０１１０】
携帯機器１０は、通常モードと、時間情報編集モードとを、時間情報編集モード移行操作および通常モード移行操作というタッチパネル１２に対する接触方法に応じて切り替え可能であるので、認証用時間情報の入力と、通常モードおよび時間情報編集モードの切り替えの操作とを同一のタッチパネル１２に対して実行させることができ、利便性を向上することができる。
【０１１１】
なお、本実施の形態において示したタッチパネル１２に対する接触方法は、一例である。例えば、携帯機器１０は、通常モードにおいてタッチパネル１２に対する接触時間の変化量に対する認証用時間情報の変化量を変更する操作として、本実施の形態において示した接触方法以外の接触方法を採用しても良い。また、携帯機器１０は、時間情報表示操作、時間情報表示終了操作、時間情報編集モード移行操作および通常モード移行操作についても、本実施の形態において示した接触方法以外の接触方法を採用しても良い。
【０１１２】
携帯機器１０は、タッチパネル１２を利用して認証を実行することができるので、指紋認証装置や網膜認証装置などの認証のための特別な装置を備えていなくても、認証を実行することができる。
【０１１３】
携帯機器１０は、タッチパネル１２に対して指先で認証を実行することができるので、例えばタッチパネル１２に対して手の平全体を押し当てることによって認証を実行する方法と比較して、タッチパネル１２に発生する汚れの量を抑えることができる。
【０１１４】
また、本発明の認証装置は、本実施の形態において携帯機器であるが、タッチパネルを備えていれば、携帯機器以外の電子機器であっても良い。例えば、本発明の認証装置は、ＭＦＰ（Ｍｕｌｔｉｆｕｎｃｔｉｏｎ  Ｐｅｒｉｐｈｅｒａｌ）、プリンター専用機などの画像形成装置であっても良い。
【符号の説明】
【０１１５】
１０  携帯機器（電子機器、認証装置）
１２  タッチパネル
１３ａ  認証プログラム
１４ａ  認証手段
１４ｂ  時間情報取得手段
１４ｃ  時間情報表示手段
３２  接触点
【図１】
0005860443.tif 000002
【図２】
0005860443.tif 000003
【図３】
0005860443.tif 000004
【図４】
0005860443.tif 000005
【図５】
0005860443.tif 000006
【図６】
0005860443.tif 000007
【図７】
0005860443.tif 000008
【図８】
0005860443.tif 000009
【図９】
0005860443.tif 000010